(57)【要約】【課題】読み取り対象ページを開いて読み取り面に押し付けるととじ部が浮いてしまう、または原稿が傷んでしまう本原稿の場合にも、専用の読取装置を必要とせず、原稿を劣化させずに本原稿を正確かつ容易に読み取れるようにする。【解決手段】読み取り面における原稿領域について、読み取り面における第１の基準位置の側から走行体を移動させて読み取りを行う第１の読み取り制御と、読み取り面における第１の基準位置と副走査方向に対向する側から走行体を移動させて読み取りを行う第２の読み取り制御と、を切り替える制御を行う。この第２の読み取り制御では、読み取り面における第１の基準位置と副走査方向に対向する側の辺の所定位置に第２の基準位置が配置される。【選択図】図３
2012065188.tif 000002
【特許請求の範囲】
【請求項１】
画情報を電子化する電子化部を備えた走行体を副走査方向に移動させることで、読み取り面における原稿領域の画情報を基準位置から読み取って電子化する読み取り手段と、
前記読み取り手段による読み取り動作の制御を行う読み取り制御手段と、を備え、
前記読み取り制御手段は、
前記原稿領域について、前記読み取り面における第１の基準位置の側から前記走行体を移動させて読み取りを行う第１の読み取り制御と、
前記読み取り面における前記第１の基準位置と副走査方向に対向する側から前記走行体を移動させて読み取りを行う第２の読み取り制御と、を切り替える制御を行い、
前記第２の読み取り制御では、前記読み取り面における前記第１の基準位置と副走査方向に対向する側に第２の基準位置が設定されることを特徴とする画像読取装置。
【請求項２】
前記第２の読み取り制御が選択された場合に、前記読み取り手段により読み取られた読み取りデータを１８０°回転するデータ回転手段を備えたことを特徴とする請求項１記載の画像読取装置。
【請求項３】
前記第２の読み取り制御が選択された場合に、前記読み取り手段による読み取り枚数を記憶する枚数記憶手段を備え、
前記読み取り制御手段は、
前記読み取り枚数が偶数の場合、前記データ回転手段を用いて前記読み取りデータを１８０°回転させ、
前記読み取り枚数が奇数の場合、前記データ回転手段を用いない制御を行うことを特徴とする請求項２記載の画像読取装置。
【請求項４】
前記読み取り手段の前記読み取り面を閉状態で被装する圧板の開閉状態を検知する開閉検知手段を備え、
前記読み取り制御手段は、前記第２の読み取り制御が選択されている場合、前記開閉検知手段による検知結果、または、前記読み取り面における前記第１の基準位置の側に設けられた入力部からの入力結果に基づいて読み取り動作を開始することを特徴とする請求項１から３の何れか１項に記載の画像読取装置。
【請求項５】
前記読み取り面における原稿のサイズを検知する原稿サイズ検知手段を備え、
前記読み取り制御手段は、前記原稿サイズ検知手段により検知された原稿サイズに基づいて、前記第１の読み取り制御とするか前記第２の読み取り制御とするかを切り替えることを特徴とする請求項１から４の何れか１項に記載の画像読取装置。
【発明の詳細な説明】
【技術分野】
【０００１】
本発明は、読み取り面（いわゆる原稿台）に載置された原稿の画像読み取りを行う機能を備えた画像読取装置に関する。
【背景技術】
【０００２】
スキャナ、あるいは画像処理複合機において原稿の読み取りを行う場合、平面の読み取り（コンタクト）ガラスの基準位置に合わせて載置された原稿を先端から後端までキャリッジ（走行体）で走査し、読み取りを行う方法が一般的である。
【０００３】
ここで、製本あるいはホチキス止めされた本（ブック）原稿を読み取る場合、平面状の読み取りガラスに原稿を密着させるのが難しく、端部や閉じ部が正しく読み取れない場合がある。また原稿を開いて押し付けるため、原稿が劣化してしまう場合もある。
【０００４】
これらの問題に対して、平面状の読み取りガラスに密着できない領域の読み取りデータを補正する技術が知られている。
【０００５】
また、原稿台に載置された原稿を予備走査により読み取った読み取りデータから原稿の位置を検出し、原稿がブック用基準位置にセットされていることが認識されると、ブックモードに自動的に設定し、右ページと左ページとをそれぞれスキャンして別々にプリントするものがある（例えば、特許文献１参照）。
【０００６】
また、本原稿を上向きに開いて上部から読み取りを行う読取装置として、ページめくり動作によって本原稿の右ページ部分が減少していくのに応じて、最上位ページが均一平面になるように、本原稿台が下方からバネ性を持って本原稿を上方のページめくり・読み取りユニットに押し当てるものがある（例えば、特許文献２参照）。
【発明の概要】
【発明が解決しようとする課題】
【０００７】
しかしながら、上述した従来のスキャナ、あるいは画像処理複合機での、平面状の読み取りガラスに密着できない領域の読み取りデータを補正する方法は、補正に限界があるためできるだけ原稿を読み取り面に押し付けたほうが正しい読み取りデータが得られる。しかし原稿を開いて押し付けることで原稿が傷んでしまうためトレードオフの関係となる。また劣化が許されない原稿には適用できない。
【０００８】
また、上述した特許文献１におけるブックモードは、読み取り面に押し広げられた本原稿の右ページ位置と左ページ位置とを別々にスキャンするものであり、端部や閉じ部を正しく読み取れない問題や、原稿を開いて押し付けるために原稿が劣化してしまう問題を解決することについてまで考慮されたものではなかった。
【０００９】
また、上述した特許文献２のものは、上部から読み取りを行う専用の読取装置を用いるものであり、コストや大きさの点で有利な、読み取り面に上から原稿を載置する一般的な画像読取装置に適用することについてまで考慮されたものではなかった。
【００１０】
本発明はこのような状況に鑑みてなされたものであり、読み取り対象ページを開いて読み取り面に押し付けるととじ部が浮いてしまう、または原稿が傷んでしまう本原稿の場合にも、専用の読取装置を必要とせず、原稿を劣化させずに本原稿を正確かつ容易に読み取ることができる画像読取装置を提供することを目的とする。
【課題を解決するための手段】
【００１１】
かかる目的を達成するために、本発明に係る画像読取装置は、画情報を電子化する電子化部を備えた走行体を副走査方向に移動させることで、読み取り面における原稿領域の画情報を基準位置から読み取って電子化する読み取り手段と、読み取り手段による読み取り動作の制御を行う読み取り制御手段と、を備え、上記の読み取り制御手段は、原稿領域について、読み取り面における第１の基準位置の側から走行体を移動させて読み取りを行う第１の読み取り制御と、読み取り面における第１の基準位置と副走査方向に対向する側から走行体を移動させて読み取りを行う第２の読み取り制御と、を切り替える制御を行い、上記の第２の読み取り制御では、読み取り面における第１の基準位置と副走査方向に対向する側に第２の基準位置が設定されることを特徴とする。
【発明の効果】
【００１２】
以上のように、本発明によれば、読み取り対象ページを開いて読み取り面に押し付けるととじ部が浮いてしまう、または原稿が傷んでしまう本原稿の場合にも、専用の読取装置を必要とせず、原稿を劣化させずに本原稿を正確かつ容易に読み取ることができる。
【図面の簡単な説明】
【００１３】
【図１】本発明と従来の比較を概略的に示す図である。
【図２】本発明の各実施形態におけるハードウェア構成例を示すブロック図である。
【図３】本発明の第１の実施形態を概略的に説明する図である。
【図４】本発明の第１の実施形態の動作例を示すフローチャートである。
【図５】本発明の第２の実施形態を概略的に説明する図である。
【図６】本発明の第２の実施形態の動作例を示すフローチャートである。
【図７】本発明の第３の実施形態を概略的に説明する図である。
【図８】本発明の第３の実施形態の動作例を示すフローチャートである。
【図９】本発明の第４の実施形態を概略的に説明する図である。
【図１０】本発明の第４の実施形態の動作例を示すフローチャートである。
【図１１】本発明の第５の実施形態を概略的に説明する図である。
【図１２】本発明の第５の実施形態の動作例を示すフローチャートである。
【図１３】本発明の第６の実施形態を概略的に説明する図である。
【図１４】本発明の第６の実施形態の動作例を示すフローチャートである。
【図１５】本発明の第７の実施形態を概略的に説明する図である。
【図１６】本発明の第７の実施形態の動作例を示すフローチャートである。
【図１７】本発明の第８の実施形態の動作例を示すフローチャートである。
【図１８】本発明の第９の実施形態を概略的に説明する図である。
【図１９】本発明の第９の実施形態の動作例を示すフローチャートである。
【図２０】本発明の第１０の実施形態を概略的に説明する図である。
【図２１】本発明の第１０の実施形態の動作例を示すフローチャートである。
【図２２】本発明の第１１の実施形態を概略的に説明する図である。
【図２３】本発明の第１１の実施形態の動作例を示すフローチャートである。
【図２４】本発明の第１２の実施形態を概略的に説明する図である。
【図２５】本発明の第１２の実施形態の動作例を示すフローチャートである。
【図２６】本発明の第１３の実施形態を概略的に説明する図である。
【図２７】本発明の第１３の実施形態の動作例を示すフローチャートである。
【図２８】本発明の第１４の実施形態の動作例を示すフローチャートである。
【図２９】本発明の第１５の実施形態を概略的に説明する図である。
【図３０】本発明の第１５の実施形態の動作例を示すフローチャートである。
【図３１】本発明の第１６の実施形態の動作例を示すフローチャートである。
【発明を実施するための形態】
【００１４】
次に、本発明に係る画像読取装置を、スキャナ機能を有する画像処理複合機に適用した一実施形態について、図面を用いて詳細に説明する。
【００１５】
まず、本実施形態の概略について説明する。
本実施形態は、図１に示すように、本原稿の読み取りを行う場合、ユーザが本原稿を開いて全面を読み取りガラスに密着させる従来の読み取り方法に替えて、片側ページを読み取りガラスに密着させ、もう一方のページを読取装置の側面に押し当てて読み取る動作を想定する。このため、原稿の基準位置をホームポジションと対向する読み取りガラスの端に変更して読み取りを行うモードを追加したことを特徴としている。
【００１６】
このように、本発明の各実施形態では、通常読み取り時の原稿の基準位置（第１の基準位置）と対向する読み取りガラスの端を新たな基準位置（第２の基準位置）とし、変更された新たな基準位置と原稿サイズに基づいて算出した新たな原稿領域を読み取り対象とする、本原稿用の読み取りモード（ブック読みモード）を備える。このブック読みモードに設定することで、本原稿を直角に開いて片面を読み取りガラスに密着し、もう一方の面を読取装置の側面に押し当てながら読み取りを行うことが容易にできる。
【００１７】
このため、読み取り対象ページを開いて読み取りガラスに押し付けるととじ部が浮いてしまう、または原稿が傷んでしまう本原稿の場合に、専用の読取装置を用いることなく、原稿を劣化させずに本原稿を正確かつ容易に読み取ることができる。
【００１８】
従来のスキャナ、あるいは画像処理複合機において本原稿の読み取りを行う場合、読み取り対象ページを開いて読み取りガラスに押し付ける必要があった。この場合とじ部が読み取りガラスから浮いてしまう原稿の場合はとじ部周辺の読み取り画像が正しく読み取れず、一方浮きを抑えるためにとじ部を読み取りガラスに押し付けると原稿が傷んでしまうことが避けられなかった。また硬い紙を使用した本などで、そもそも１８０°に開くことのできないものは読み取りを行うこと自体が難しかった。
【００１９】
本発明の実施形態では原稿を１８０°に開いて全面を平面状の読み取りガラスに押し付けるのではなく、９０°に開いて読取装置の所定側面（ユーザから見て走行体が左から右に走査することで読み取りを行う図１の構成の場合、右側面）に押し当てた場合を想定し、原稿の基準位置を、読み取りガラス縁端部における通常の基準位置に対して副走査方向に対向する側の辺に設定して読み取りを行う「ブック読みモード」を追加している。このため、とじ部周辺を正しく読み取ることができると共に、本原稿が傷まない読み取りが可能となる。
【００２０】
本のとじ部周辺が正しく読み取れる理由としては、読み取りガラスに密着する際に本原稿を開く角度が小さくなり、とじ部の浮きを抑えられることが挙げられる。なお読取装置側面に読み取りガラス外部のフレーム部分が存在する場合、その部分は読み取り不可領域となる。
【００２１】
本原稿が傷まない理由としては、１８０°まで開くと傷んでしまう本であっても、９０°に開いて傷むことは通常ないことが挙げられる。すなわち、本を読むためには一般に９０°以上開く必要があり、９０°の開閉による劣化は問題にならないと考えられる。
【００２２】
なお従来のスキャナ、あるいは画像処理複合機を用いてユーザが上述した９０°に開く読み取り方法を行う場合、読み取り基準位置を読み取りガラスにおける対角線の反対側とする位置で読み取りを行うこととなるため、無駄な領域を読み取ってしまう問題がある。
例えば読み取り面がＡ４サイズにも関わらず、読み取りガラスの全面（例えばＡ３サイズ）を読み取ってしまい実用的でない。またエリア指定読み取り機能がある場合でも、ユーザは読み取り面のサイズ（例えばＡ４）を指定して読み取ることができず、読み取りガラス全面のサイズ（例えばＡ３）から読み取り面のサイズを引いた距離を計算して指定する必要があり、非常に手間がかかってしまう。このため、本発明の各実施形態による「原稿を劣化させずに本原稿を正確かつ容易に読み取る」ことまでは実現できていなかった。
【００２３】
また、従来のスキャナ、あるいは画像処理複合機で、ユーザから見て右側にホームポジションを配置し、走行体を右から左へ移動して読み取りを行う読取装置も存在する。しかし通常はホームポジション付近にＤＦ（自動原稿送り装置）を用いた読み取りガラス面やモータ装置などが配置されるため、左右が逆になるのみで、前述の課題は同様に発生する。このため、こうした左右逆の構成である場合も、本発明の各実施形態を左右逆にして適用することで解決することができる。
【００２４】
次に、本発明の各実施形態におけるハードウェア構成について、図２を参照して説明する。本発明の各実施形態におけるシステム構成は、図２の構成１〜構成５のいずれかの構成であることが好ましい。
【００２５】
オペレーションパネルは、ユーザやサービスマンの各種の操作入力を受け付ける入力部として機能する。
【００２６】
画像読み取り手段は、原稿の反射光を電子化し、読み取り画像データを生成する機能部である。この画像読み取り手段は、画像読み取りのためのランプと、レンズと、レンズにより結像された画情報を電子化するＣＣＤ（電子化部）等を備えたキャリッジを副走査方向に移動させることで、平面状の読み取りガラス面に載置された原稿の画情報を電子化して読み取る。読み取り対象となる原稿領域は、読み取りの基準位置からの所定範囲として装置により算出またはユーザにより指定される。
【００２７】
ＣＰＵは、プログラムに基づいて各種演算を行う。
メモリは、演算結果や読み取り画像データ等を蓄積しておく機能部である。
原稿サイズセンサは、読み取りガラス上の原稿のサイズを検知する機能部である。
【００２８】
側面ガイドは、読み取りガラスが設けられた面の側面に設置されて原稿の２辺を支え、原稿サイズを検知する機能部である。
画像蓄積手段は、ＨＤＤ（ハードディスクドライブ）等、読み取り画像データ等を蓄積しておく機能部である。
圧板開閉センサは、圧板の開閉を検知する機能部である。
【００２９】
〔第１の実施形態〕
次に、本発明の第１の実施形態について説明する。図３と図４は、第１の実施形態について説明する図である。
【００３０】
図３は通常読み取りモード（第１の読み取り制御）とブック読みモード（第２の読み取り制御）の場合の読み取り領域の例を表している。なお通常読み取りモードの場合は本原稿の左右ページを一度に読み取ることも可能だが、図３では比較のため１ページ目（ユーザが読む際に右側となる面）のみ読み取る場合を想定している。
【００３１】
また図３の例では、ブック読み用の基準位置（第２の基準位置）はユーザから見て右手前の位置としているが、読み取りガラス面上における、通常読み取りモードにおける基準位置（第１の基準位置）と副走査方向に対向する側の辺の所定位置であればこの位置に限定されず、例えばユーザから見て右奥位置であってもよい。ただし、右奥位置は厚さのある原稿の場合に圧板の根元に接触するため、右手前位置がより好ましい。
【００３２】
次に、第１の実施形態による動作について、図４のフローチャートを参照して説明する。
以下、システムとは、本発明の原稿読み取り方法を実現するソフトウェア（画像読み取り手段に含まれる）に基づいてＣＰＵ等が処理を行うことで各種機能を実現する構成を示す。
【００３３】
ステップＳ１−１で、ユーザが読み取りガラス上に原稿をセットし、上述したブック読みモードをオペレーションパネルにより選択または選択しない。
ステップＳ１−２で、システムは原稿サイズセンサの検知結果、またはユーザがオペレーションパネルから設定した結果に基づき、原稿サイズを決定する。
ステップＳ１−３で、ユーザがオペレーションパネル上のスタートキーにより読み取り開始を指示する。
【００３４】
ステップＳ１−４で、システムはブック読みモードが選択されているか判断し、選択されている場合はステップＳ１−５へ、選択されていない場合はステップＳ１−６へ進む。
ステップＳ１−５で、システムはステップＳ１−２で決定した原稿サイズの一端をブック読み用の基準位置（図３参照）に合わせた領域を読み取り領域に設定し、原稿の読み取りを行う。
【００３５】
ステップＳ１−６で、システムはステップＳ１−２で決定した原稿サイズの一端を通常の基準位置（図３参照）に合わせた領域を読み取り領域に設定し、原稿の読み取りを行う。
【００３６】
上述したステップＳ１−５における原稿の読み取り方法としては、通常の読み取り方法と同様に走行体のホームポジション（図３では左端）でランプを点灯し、走行体をホームポジションから読み取りガラスの端（図３では右端）に移動して読み取りを行い、ランプ消灯後に走行体をホームポジションまで戻す読み取り方法が考えられる。しかしこの場合、原稿がない領域でランプが点灯しているため、ユーザが眩しく感じてしまう可能性がある。
このため、走行体を読み取りガラスの端（図３では右端）に移動した後でランプを点灯し、走行体をホームポジションに戻しながら読み取りを行い、原稿のない領域ではランプを消灯する読み取り方法とすることがより好ましい。
【００３７】
以上のように、上述した第１の実施形態における画像処理複合機は、読み取りガラス上の指定した原稿領域を読み取って電子化する読み取り手段（ランプ／ＣＣＤ／キャリッジ等）と、読み取った電子データを格納する手段（メモリ）と、前記読み取り手段を制御するソフトウェアおよびソフトウェア実行手段（プログラム、ＣＰＵ等）とを備え、前記指定した原稿領域について、前記読み取りガラス上の基準位置から読み取りを行う読み取り方法と前記読み取りガラス上の基準位置と対向する読み取りガラスの端から読み取りを行う読み取り方法とを切り替えるように制御する。
【００３８】
このため、上述した第１の実施形態によれば、ユーザによるオペレーションパネルへの操作入力に基づいて、通常読み取りモードでの読み取りと、本実施形態によるブック読みモードでの読み取りとを切り替えることができる。
このため、本実施形態によるブック読みモードを用いることで、読み取り対象ページを開いて読み取りガラスに押し付けるととじ部が浮いてしまう、または原稿が傷んでしまう本原稿の場合に、専用の読取装置を用いることなく、原稿を劣化させずに本原稿を正確かつ容易に読み取ることができる。
【００３９】
〔第２の実施形態〕
次に、本発明の第２の実施形態について説明する。
この第２の実施形態は、上述した第１の実施形態について、読み取りガラス上の基準位置と対向する読み取りガラスの端から読み取りを行う読み取り方法が選択された場合に、図５に例示するような専用の割り当てキーや圧板の開閉動作などにより読み取り動作を開始する制御をさらに行うようにしたものである。
【００４０】
図５と図６は、第２の実施形態について説明する図である。
図５は、本実施形態による、読み取りガラス上の基準位置の側に設けられた専用の割り当てキー（入力ボタン）の配置例を示す図である。また、読み取りガラス面を閉状態で被装して原稿を読み取りガラス面に押圧する圧板の開閉動作を示す。
【００４１】
次に、第２の実施形態による動作について、図６のフローチャートを参照して説明する。
ステップＳ２−１で、ユーザが読み取りガラス上に原稿をセットし、ブック読みモードを選択する。
ステップＳ２−２で、システムは原稿サイズセンサの検知結果、またはユーザがオペレーションパネルから設定した結果に基づき、原稿サイズを決定する。
【００４２】
ステップＳ２−３で、ユーザがオペレーションパネル上のスタートキー、またはブック読みモード時のみスタートキー同等の機能を持つ割り当てキーや特定動作（例えば圧板を開閉する動作）により読み取り開始を指示する。
ステップＳ２−４で、システムはステップＳ２−２で決定した原稿サイズの一端をブック読み用の基準位置に合わせた領域を読み取り領域に設定し、原稿の読み取りを行う。
【００４３】
原稿の読み取りを開始するスタートキーは、通常ユーザから見て右手側に配置される（右利きのユーザが多いため）。しかし本実施形態のブック読みモードを用いて本原稿を読み取る場合、ユーザから見て左側に走行体のホームポジションがある読取装置の場合は、原稿を読取装置の右側面に押し当てるため、ユーザの右手が塞がってしまう。
【００４４】
このため、上述した第２の実施形態によれば、ユーザは本原稿のために右手が塞がった状態であっても、左手で左側に配置された専用のスタートキーを押すだけで本実施形態によるブック読みモードでの読み取り開始操作を行うことができる。
このため、ブック読みモードによる読み取り開始動作について、ユーザの使用における利便性を向上することができる。
【００４５】
〔第３の実施形態〕
次に、本発明の第３の実施形態について説明する。
この第３の実施形態は、上述した第１の実施形態について、読み取りガラス上の原稿のサイズを検知する原稿サイズセンサ（原稿サイズ検知手段）を備え、原稿サイズセンサの検知結果から原稿のサイズを判定し、その検知結果から読み取りガラス上の基準位置から読み取りを行う読み取り方法と読み取りガラス上の基準位置と対向する読み取りガラスの端から読み取りを行う読み取り方法のいずれかを選択する制御をさらに行うようにしたものである。
【００４６】
【表１】
2012065188.tif 000003
【００４７】
図７と図８と表１は、第３の実施形態について説明する図である。
図７および表１は、原稿サイズセンサの配置と検知箇所による原稿サイズ、原稿位置の判定方法を現している。図７ではブック読み用の基準位置に原稿が置かれた場合にサイズを検知するための原稿サイズセンサＸ２、Ｙ２を追加しているが、通常読み取り用の原稿サイズセンサ（Ｘ１、Ｙ１）のみを用いて原稿位置の判定を行い、ブック読みモードの場合はユーザが原稿サイズを指定する必要がある構成としてもよい。
【００４８】
次に、第３の実施形態による動作について、図８のフローチャートを参照して説明する。
ステップＳ３−１で、ユーザが読み取りガラス上に原稿をセットする。
ステップＳ３−２で、システムは原稿サイズセンサの検知結果と原稿種類判定表を用いて、原稿サイズと原稿位置（通常／ブック読み取り）を決定する。
ステップＳ３−３で、ユーザがオペレーションパネル上のスタートキーにより読み取り開始を指示する。
【００４９】
ステップＳ３−４で、システムはステップＳ３−２で決定した原稿位置が所定のブック読み取り位置の範囲内の場合はステップＳ３−５へ、通常読み取り位置の場合はステップＳ３−６へ進む。
ステップＳ３−５で、システムは原稿サイズの一端をブック読み用の基準位置に合わせた領域を読み取り領域に設定し、原稿の読み取りを行う。
ステップＳ３−６で、システムは原稿サイズの一端を通常の基準位置に合わせた領域を読み取り領域に設定し、原稿の読み取りを行う。
【００５０】
以上のように、上述した第３の実施形態によれば、ユーザがブック読みモードを選択する手順を省略することができ、ユーザの使用における利便性を向上することができる。
【００５１】
〔第４の実施形態〕
次に、本発明の第４の実施形態について説明する。
この第４の実施形態は、上述した第１の実施形態について、読み取りガラス上の基準位置と対向する読み取りガラスの端から読み取りを行う読み取り方法が選択された場合に、読み取りガラスの全面を読み取った読み取りデータを解析し、黒ベタデータの部分を判定する判定手段と、黒ベタデータを除外した読み取りデータから原稿領域を判定する原稿領域判定手段と、を備え、走行体を読み取りガラスの端からホームポジションに戻しながら読み取りを行う制御をさらに行うようにしたものである。
【００５２】
図９と図１０は、第４の実施形態について説明する図である。
図９は第４の実施形態で読み取りデータから原稿サイズを判定する動作を説明する図である。本実施形態におけるブック読みモードではブック読み用の基準位置から読み取りを行うため、原稿のサイズに関わらず走行体をホームポジションから読み取りガラスの右端まで往復させる必要がある。そのため往路で読み取った画像を解析することで、読み取り画像や読み取り時間を悪化させずに原稿領域が求められ、ブック読みモードで使用するための原稿サイズセンサを省略することができる。また本原稿は不定形サイズの場合が多いが、この場合もユーザの入力なしで適切な原稿領域を設定できる。
【００５３】
次に、第４の実施形態による動作について、図１０のフローチャートを参照して説明する。
ステップＳ４−１で、ユーザが読み取りガラス上に原稿をセットし、ブック読みモードを選択する。
ステップＳ４−２で、ユーザがオペレーションパネル上のスタートキーにより読み取り開始を指示する。
【００５４】
ステップＳ４−３で、システムは読み取りガラスの全面を読み取り、読み取りデータを解析して黒ベタ領域を除外し、原稿領域を決定する。ここで走行体はホームポジションに戻さず、読み取りガラスの端で停止する。
黒ベタ領域の判断としては、例えば読み取り画素値が０〜２５５（白）で表される場合、閾値Ａを４０として閾値以下（カラーの場合はＲＧＢ全てが閾値以下）の画素を黒ベタとする方法が考えられる。また黒ベタに囲まれた孤立点も黒ベタとする方法なども考えられる。
この閾値Ａは、圧板が開いていても読み取られてしまう平均的な画素値に基づいて予め定められるものであり、機器に依存する値である。
【００５５】
黒ベタ領域を除外した読み取り画素のうち、ブック読み用の基準位置から主走査方向に最も遠い画素の座標をＸとし、ブック読み用の基準位置から副走査方向に最も遠い画素の座標をＹとすると、原稿領域はＸ×Ｙで表される。
【００５６】
ステップＳ４−４で、システムは決定した原稿領域に対し、走行体を読み取りガラスの端からホームポジションに戻しながら読み取りを行う。
【００５７】
以上のように、上述した第４の実施形態によれば、ブック読みモードで使用するための原稿サイズセンサを省略することができ、また不定形原稿であっても自動的に正しい原稿領域を設定することができる。このため、コスト削減ができると共に、ユーザの使用における利便性を向上することができる。
【００５８】
〔第５の実施形態〕
次に、本発明の第５の実施形態について説明する。
この第５の実施形態は、上述した第１の実施形態について、読み取りガラスの全面を読み取る場合の走行体のランプ光量と、走行体を読み取りガラスの端からホームポジションに戻しながら読み取る場合の走行体のランプ光量とを、図１１に例示するように、異なる光量に切り替える制御をさらに行うようにしたものである。
【００５９】
図１１と図１２は、第５の実施形態について説明する図である。
第５の実施形態による動作について、図１２のフローチャートを参照して説明する。
ステップＳ５−１で、ユーザが読み取りガラス上に原稿をセットし、ブック読みモードを選択する。
ステップＳ５−２で、ユーザがオペレーションパネル上のスタートキーにより読み取り開始を指示する。
【００６０】
ステップＳ５−３で、システムは走行体のランプを光量Ａで点灯して読み取りガラスの全面を読み取り、読み取りデータを解析して黒ベタ領域を除外し、原稿領域を決定する。ここで走行体はホームポジションに戻さず、読み取りガラスの端で停止する。
黒ベタ領域の判断としては、例えば読み取り画素値が０〜２５５（白）で表される場合、閾値Ｂを４０として閾値以下（カラーの場合はＲＧＢ全てが閾値以下）の画素を黒ベタとする方法が考えられる。また黒ベタに囲まれた孤立点も黒ベタとする方法なども考えられる。
この閾値Ｂは、圧板が開いていても読み取られてしまう平均的な画素値に基づいて予め定められるものであり、機器に依存する値である。
【００６１】
黒ベタ領域を除外した読み取り画素のうち、ブック読み用の基準位置から主走査方向に最も遠い画素の座標をＸとし、ブック読み用の基準位置から副走査方向に最も遠い画素の座標をＹとすると、原稿領域はＸ×Ｙで表される。
【００６２】
ステップＳ５−４で、システムは決定した原稿領域に対し、走行体のランプを光量Ｂで点灯し、読み取りガラスの端からホームポジションに戻しながら読み取りを行う。
【００６３】
上述した第４の実施形態では原稿領域を決定するための往路の読み取り時に、復路の読み取り時と同じ光量でランプを点灯する。ここで本原稿の読み取り時は圧板が開いているため、原稿のない領域ではランプの光がユーザの目に入ってしまい、ユーザが眩しさを感じてしまう。しかし原稿領域を決定するための読み取りの場合、読み取り画像に画質は求められないためランプ光量を減らして読み取りを行っても原稿領域を決定することができる。
【００６４】
以上のように、上述した第５の実施形態によれば、上述した第４の実施形態よりも、ユーザが眩しさを感じることを抑えて読み取りを行うことができる。
【００６５】
〔第６の実施形態〕
次に、本発明の第６の実施形態について説明する。
この第６の実施形態は、上述した第１の実施形態について、読み取りガラスの側面に設置した原稿の２辺に押し当てて支えるガイドを備え、読み取りガラス上の基準位置と対向する読み取りガラスの端から読み取りを行う読み取り方法が選択された場合に、ガイドの調整位置から原稿領域を判定する原稿領域判定制御をさらに行うようにしたものである。
【００６６】
図１３と図１４は、第６の実施形態について説明する図である。
図１３は、第６の実施形態により、側面に設けられたガイドで原稿サイズを検知する構成を説明する図である。
【００６７】
第６の実施形態による動作について、図１４のフローチャートを参照して説明する。
ステップＳ６−１で、ユーザが読み取りガラス上に本原稿をセットし、ブック読みモードを選択する。
ステップＳ６−２で、ユーザが側面ガイドを操作し、本原稿の読み取り対象でない面を支えるように幅と高さを調整する。
【００６８】
ステップＳ６−３で、ユーザがオペレーションパネル上のスタートキーにより読み取り開始を指示する。
ステップＳ６−４で、システムは側面ガイドの調整位置から原稿サイズを決定する。原稿サイズは、図１３の例を参照すると、以下の式で決定される。
主走査サイズ  ：  Ｘ０−（Ｘ１＋Ｘ２）
副走査サイズ  ：  Ｙ
【００６９】
ステップＳ６−５で、システムは決定した原稿サイズの一端をブック読み用の基準位置に合わせた領域を読み取り領域に設定し、原稿の読み取りを行う。
【００７０】
以上のように、上述した第６の実施形態によれば、ブック読みモードで使用するための原稿サイズセンサを省略することができる。また本原稿が読み取りガラスからずり落ちることを防ぐことができるため、読み取り中に本原稿をユーザが手で押さえ続ける必要をなくすことができる。こうして、コスト削減ができると共に、ユーザの使用における利便性を向上することができる。
【００７１】
〔第７の実施形態〕
次に、本発明の第７の実施形態について説明する。
この第７の実施形態は、上述した第１の実施形態について、読み取りガラス上の基準位置と対向する読み取りガラスの端から読み取りを行う読み取り方法が選択された場合に、読み取りデータを１８０°回転するデータ回転手段と、データ回転手段の使用の有無を選択する選択手段と、をさらに備えるようにしたものである。
【００７２】
図１５と図１６は、第７の実施形態について説明する図である。
データ回転手段の使用の有無を選択するモード選択／解除ボタンは、例えば図１５に示すように配置される。
【００７３】
次に、第７の実施形態による動作について、図１６のフローチャートを参照して説明する。
ステップＳ７−１で、ユーザが読み取りガラス上に原稿をセットしてブック読みモードを選択し、さらに左ページモードを選択または選択しない。
ここで左ページモードとは、読み取り動作後に読み取り画像を１８０°回転するモードを示している。本実施形態のブック読みモードで、ユーザが本を開いた時にユーザから見て左側に位置するページを読み取る場合、右ページの場合と本の天地を逆にして読み取りを行う必要がある。そのため読み取り画像が右ページと左ページで向きが１８０°ずれてしまい、左ページモードはこれを修正するために使用する。
【００７４】
ステップＳ７−２で、システムは原稿サイズセンサの検知結果、またはユーザがオペレーションパネルから設定した結果に基づき、原稿サイズを決定する。
ステップＳ７−３で、ユーザがオペレーションパネル上のスタートキーにより読み取り開始を指示する。
ステップＳ７−４で、システムはステップＳ７−２で決定した原稿サイズの一端をブック読み用の基準位置に合わせた領域を読み取り領域に設定し、原稿の読み取りを行う。
【００７５】
ステップＳ７−５で、システムは左ページモードが選択されているか判断し、選択されている場合はステップＳ７−６へ、選択されていない場合はステップＳ７−７へ進む。
ステップＳ７−６で、システムは読み取りデータを１８０°回転して蓄積または出力する。
ステップＳ７−７で、システムは読み取りデータを蓄積または出力する。
【００７６】
以上のように、上述した第７の実施形態によれば、ユーザが本原稿における左ページの読み取りを行う場合に左ページモードを選択することで、右ページの読み取りデータと左ページの読み取りデータの向きを容易にそろえることができる。このため、ユーザの使用における利便性を向上することができる。
【００７７】
〔第８の実施形態〕
次に、本発明の第８の実施形態について説明する。
この第８の実施形態は、上述した第１の実施形態について、読み取りガラス上の基準位置と対向する読み取りガラスの端から読み取りを行う読み取り方法が選択された場合に読み取り枚数を記憶する記憶手段をさらに備え、その読み取り枚数が偶数の場合は読み取りデータを１８０°回転するデータ回転手段を使用し、読み取り枚数が奇数の場合は読み取りデータを１８０°回転するデータ回転手段を使用しない切替制御をさらに行うようにしたものである。
【００７８】
第８の実施形態による動作について、図１７のフローチャートを参照して説明する。
ステップＳ８−１で、ユーザが読み取りガラス上に原稿をセットし、ブック読みモードと偶数ページモードを選択する。
ここで偶数ページモードとは、ブック読みモードかつ偶数ページモード時の読み取りページ数が偶数の場合に、読み取り画像を１８０°回転するモードを示している。すなわち読み取り画像１枚ごとに左ページモードを選択した場合の動作と同様になる。
【００７９】
ステップＳ８−２で、システムは原稿サイズセンサの検知結果、またはユーザがオペレーションパネルから設定した結果に基づき、原稿サイズを決定する。
ステップＳ８−３で、ユーザがオペレーションパネル上のスタートキーにより読み取り開始を指示する。
ステップＳ８−４で、システムはステップＳ８−２で決定した原稿サイズの一端をブック読み用の基準位置に合わせた領域を読み取り領域に設定して原稿の読み取りを行い、ブック読みモードでの読み取り枚数をメモリに蓄積する。
【００８０】
ステップＳ８−５で、システムはブック読みモードでの読み取り枚数をメモリからロードし、前記読み取り枚数が偶数の場合はステップＳ８−６へ、奇数の場合はステップＳ８−７へ進む。
【００８１】
ステップＳ８−６で、システムは読み取りデータを１８０°回転して蓄積または出力する。
ステップＳ８−７で、システムは読み取りデータを蓄積または出力する。
【００８２】
ステップＳ８−９で、ユーザが原稿の読み取りを全て終了した場合はフローを終了し、終了していない場合はステップＳ８−２へ進む。
【００８３】
メモリに蓄積される読み取り枚数は、ユーザによりブック読みモードと偶数ページモードが選択された時点で０クリアされる。またステップＳ８−９で原稿の読み取りを全て終了した場合も０クリアされる。原稿の読み取りを全て終了したと判断する方法として、例えばユーザがブック読みモードまたは偶数ページモードを解除した場合、あるいは最後に原稿の読み取りを行ってから一定時間が経過した場合、あるいは圧板が閉じられた場合（本原稿は圧板が開いていないと読み取れないため）などが考えられる。
【００８４】
以上のように、上述した第８の実施形態によれば、ユーザが本原稿を順にスキャナ読み取りすることにより、右ページと左ページを交互に読み取っていく場合に、上述した第７の実施形態のように１枚ごとに左ページモードを選択／解除する必要がなく、右ページの読み取りデータと左ページの読み取りデータの向きを容易にそろえることができる。このため、ユーザの使用における利便性を向上することができる。
【００８５】
〔第９の実施形態〕
次に、本発明の第９の実施形態について説明する。
この第９の実施形態は、上述した第１の実施形態について、読み取りガラス上の基準位置と対向する読み取りガラスの端から読み取りを行う読み取り方法が選択された場合に、１枚目の読み取りデータをメモリ上に蓄積し、２枚目の読み取りデータを１８０°回転してメモリ上に蓄積し、さらに１枚目の読み取りデータの副走査方向終端と２枚目の読み取りデータの副走査方向先端を連結する制御をさらに行うようにしたものである。
【００８６】
図１８と図１９は、第９の実施形態について説明する図である。
図１８に、第９の実施形態によるブック読みモードで見開きページモードが選択された場合の、偶数枚目の読み取りデータの１８０°回転制御、および奇数枚目と偶数枚目の読み取りデータの連結制御例を示す。
【００８７】
次に、第９の実施形態による動作について、図１９のフローチャートを参照して説明する。
ステップＳ９−１で、ユーザが読み取りガラス上に本原稿の右（左）ページをセットし、ブック読みモードと見開きページモードを選択する。
ここで見開きページモードとは、ブック読みモードかつ見開きページモード時の２枚目の読み取り画像を１８０°回転し、さらに１枚目の読み取り画像と副走査方向に連結するモードを示している。
【００８８】
ステップＳ９−２で、システムは原稿サイズセンサの検知結果、またはユーザがオペレーションパネルから設定した結果に基づき、原稿サイズを決定する。
ステップＳ９−３で、ユーザがオペレーションパネル上のスタートキーにより読み取り開始を指示する。
【００８９】
ステップＳ９−４で、システムはステップＳ９−２で決定した原稿サイズの一端をブック読み用の基準位置に合わせた領域を読み取り領域に設定して原稿の読み取りを行い、読み取ったデータ（Ａ）をメモリ上に蓄積する。
ステップＳ９−５で、ユーザが読み取りガラス上に本原稿の左（右）ページをセットする。
ステップＳ９−６で、ユーザがオペレーションパネル上のスタートキーにより読み取り開始を指示する。
【００９０】
ステップＳ９−７で、システムはステップＳ９−２で決定した原稿サイズの一端をブック読み用の基準位置に合わせた領域を読み取り領域に設定して原稿の読み取りを行い、読み取ったデータ（Ｂ）をメモリ上に蓄積する。
ステップＳ９−８で、システムは読み取りデータＢを１８０°回転し、読み取りデータＡの副走査方向端に連結して蓄積または出力する。
【００９１】
以上のように１枚目を読み取ったデータ（Ａ）と２枚目を読み取ったデータ（Ｂ）とに対する処理を、以降、奇数枚目を読み取ったデータ（Ａ）と偶数枚目を読み取ったデータ（Ｂ）とに対して同様に行う。
【００９２】
読み取りデータＡ、Ｂを蓄積するメモリは、例えば外部接続した大容量記憶装置（ＨＤＤ）などであってもよい。
【００９３】
以上のように、上述した第９の実施形態によれば、ユーザが本原稿の見開き左右ページを１枚の読み取りデータとして蓄積または出力することを容易に行うことができ、ユーザの使用における利便性を向上することができる。
【００９４】
〔第１０の実施形態〕
次に、本発明の第１０の実施形態について説明する。
この第１０の実施形態は、上述した第１の実施形態について、ユーザが原稿のページ番号位置を選択するためのページ番号位置選択手段と、読み取りガラス上の基準位置と対向する読み取りガラスの端から読み取りを行う読み取り方法が選択された場合に読み取りデータを解析し、そのページ番号位置に相当する読み取りデータの領域に数値画像があるか判定する数値画像判定手段と、をさらに備え、数値画像判定手段の判定結果に基づいて読み取りデータを１８０°回転する読み取りデータ制御をさらに行うようにしたものである。
【００９５】
図２０と図２１と表２は、第１０の実施形態について説明する図である。
図２０は、第１０の実施形態でのブック読みモードにより、ページ番号位置から左ページモードを自動選択する動作を説明する図である。表２は、この自動選択における回転判定条件例を示す。
【００９６】
【表２】
2012065188.tif 000004
【００９７】
次に、第１０の実施形態による動作について、図２１のフローチャートを参照して説明する。
ステップＳ１０−１で、ユーザが読み取りガラス上に原稿をセットし、ブック読みモードを選択する。
【００９８】
ステップＳ１０−２で、ユーザがオペレーションパネルにより原稿のページ番号位置を選択する。例えばユーザから見て原稿の左上／上／右上／左下／下／右下を指定する方法が考えられる。
ステップＳ１０−３で、システムは原稿サイズセンサの検知結果、またはユーザがオペレーションパネルから設定した結果に基づき、原稿サイズを決定する。
【００９９】
ステップＳ１０−４で、ユーザがオペレーションパネル上のスタートキーにより読み取り開始を指示する。
ステップＳ１０−５で、システムはステップＳ１０−３で決定した原稿サイズの一端をブック読み用の基準位置に合わせた領域を読み取り領域に設定し、原稿の読み取りを行う。
【０１００】
ステップＳ１０−６で、システムは読み取りデータを解析し、指定可能なページ番号位置にそれぞれ数値画像があるか判断し、表２の判定表を用いて１８０°回転の有無を判定する。
数値画像があるか判断する方法としては、例えばあらかじめ用意した０〜９の数字画像とパターンマッチングを行う方法などが考えられる。あるいは１枚目の読み取り時はユーザの指定したページ番号位置に必ずページ番号があるため、１枚目のページ番号位置の画像を保存しておき、それを用いて画像の類似度を求める方法なども考えられる。
【０１０１】
ステップＳ１０−７で、システムはステップＳ１０−６の判定結果が１８０°回転ありの場合はステップＳ１０−８へ、１８０°回転なしの場合はステップＳ１０−９へ進む。
【０１０２】
ステップＳ１０−８で、システムは読み取りデータを１８０°回転して蓄積または出力する。
ステップＳ１０−９で、システムは読み取りデータを蓄積または出力する。
【０１０３】
以上のように、上述した第１０の実施形態によれば、ユーザが本原稿を順に読み取る場合など原稿によって向きを揃えるために１８０°回転する必要がある場合に、ユーザがその都度１８０°回転を指定する手間をなくすことができる。このため、ユーザの使用における利便性を向上することができる。
【０１０４】
〔第１１の実施形態〕
次に、本発明の第１１の実施形態について説明する。
この第１１の実施形態は、上述した第１の実施形態について、読み取りガラス上の基準位置と対向する読み取りガラスの端から読み取りを行う読み取り方法が選択された場合に、指定した原稿領域の主走査方向を最大にした領域を読み取った読み取りデータを解析し、黒ベタデータの部分を判定する判定手段をさらに備え、黒ベタデータの判定結果に基づいて読み取りデータを１８０°回転する読み取りデータ制御をさらに行うようにしたものである。
【０１０５】
図２２と図２３と表３は、第１１の実施形態について説明する図である。
図２２は、本実施形態としてのブック読みモードで、原稿位置から左ページモードを自動選択する判定例を示す図である。表３は、その自動選択における回転判定条件例を示す。
【０１０６】
【表３】
2012065188.tif 000005
【０１０７】
次に、第１１の実施形態による動作について、図２３のフローチャートを参照して説明する。
ステップＳ１１−１で、ユーザが読み取りガラス上に原稿をセットし、ブック読みモードを選択する。
ステップＳ１１−２で、システムはユーザがオペレーションパネルから設定した結果に基づき、原稿サイズを決定する。
【０１０８】
ステップＳ１１−３で、ユーザがオペレーションパネル上のスタートキーにより読み取り開始を指示する。
ステップＳ１１−４で、システムはステップＳ１１−２で決定した原稿サイズの一端をブック読み用の基準位置に合わせた領域について、主走査サイズを最大に変更した領域を読み取り領域に設定し、原稿の読み取りを行う。
【０１０９】
ステップＳ１１−５で、システムは読み取りデータを解析し、ブック読み用の右ページ基準位置とブック読み用の左ページ基準位置の周辺画素値を取得して黒ベタ領域かどうか判定し、表３の判定表を用いて１８０°回転の有無を判定する。
周辺画素値を取得する範囲は、例えば基準位置から主走査方向にＸ、副走査方向にＹの矩形領域とすることが考えられる。また黒ベタ領域かどうかの判定は、第４の実施形態同様に閾値を用いて判定する方法などが考えられる。
【０１１０】
ステップＳ１１−６で、システムはステップＳ１１−５の判定結果が１８０°回転ありの場合はステップＳ１１−７へ、１８０°回転なしの場合はステップＳ１１−８へ進む。
ステップＳ１１−７で、システムは読み取りデータを１８０°回転して蓄積または出力する。
ステップＳ１１−８で、システムは読み取りデータを蓄積または出力する。
【０１１１】
ステップＳ１１−２でユーザが設定した結果に基づいて原稿サイズを決定しているが、第４の実施形態の動作と組み合わせることでシステムが自動的に原稿サイズを判定することも考えられる。
【０１１２】
以上のように、上述した第１１の実施形態によれば、ユーザが本原稿を読み取る場合に右ページと左ページで向きを揃えるため１８０°回転する必要がある場合に、原稿の載置位置を変更するだけで１８０°回転を指定できる。このため、オペレーションパネルによる操作の手間をなくすことができ、ユーザの使用における利便性を向上することができる。
【０１１３】
〔第１２の実施形態〕
次に、本発明の第１２の実施形態について説明する。
この第１２の実施形態は、上述した第６の実施形態について、ガイドの調整位置に基づいて読み取りデータを１８０°回転する読み取りデータ制御をさらに行うようにしたものである。
【０１１４】
図２４と図２５は、第１２の実施形態について説明する図である。
図２４は、本実施形態によるブック読みモードで、側面ガイド位置から左ページモードを自動選択する判定例を示す図である。
【０１１５】
次に、第１２の実施形態による動作について、図２５のフローチャートを参照して説明する。
ステップＳ１２−１で、ユーザが読み取りガラス上に原稿をセットし、ブック読みモードを選択する。
【０１１６】
ステップＳ１２−２で、ユーザが側面ガイドを操作し、本原稿の読み取り対象でない面（右ページを読み取る場合は左ページ面、左ページを読み取り場合は右ページ面）を側面ガイドで支えるように調整する。
この時、ユーザは、図２４に示すように、右ページを読み取る場合は原稿を右ページ基準位置（ユーザから見て手前側）に、左ページを読み取る場合は原稿を左ページ基準位置（ユーザから見て奥側）に配置し、側面ガイドを調整する。
【０１１７】
ステップＳ１２−３で、ユーザがオペレーションパネル上のスタートキーにより読み取り開始を指示する。
ステップＳ１２−４で、システムは側面ガイドの調整位置から原稿サイズ、および１８０°回転の有無を判定する。
【０１１８】
原稿サイズは、図２４を参照して、以下の式で決定される。
主走査サイズ  ：  Ｘ０−（Ｘ１＋Ｘ２）
副走査サイズ  ：  Ｙ
【０１１９】
１８０°回転の有無は以下の条件で判定される。
１８０°回転あり  ：  Ｘ２が設定可能な最小値（側面ガイドの構成による）、かつＸ１が設定可能な最小値以外の場合
１８０°回転なし  ：  それ以外の場合
【０１２０】
ステップＳ１２−５で、システムはステップＳ１２−４の判定結果が１８０°回転ありの場合はステップＳ１２−６へ、１８０°回転なしの場合はステップＳ１２−８へ進む。
ステップＳ１２−６で、システムはブック読み用の左ページ基準位置からステップＳ１２−４で決定した原稿サイズ領域を読み取る。
ステップＳ１２−７で、システムは読み取りデータを１８０°回転して蓄積または出力する。
【０１２１】
ステップＳ１２−８で、システムはブック読み用の右ページ基準位置からステップＳ１２−４で決定した原稿サイズ領域を読み取る。
ステップＳ１２−９で、システムは読み取りデータを蓄積または出力する。
【０１２２】
なお、上述した実施形態で、右ページ基準位置と左ページ基準位置は逆に配置してもよい。
【０１２３】
以上のように、上述した第１２の実施形態によれば、ブック読みモードで使用するための原稿サイズセンサを省略することができ、また本原稿が読み取りガラスからずり落ちることを防げるため、読み取り中に本原稿を手で押さえ続ける必要がなくなり、さらに基準位置に合わせて読み取りガイドを調整するだけで１８０°回転を指定できるため、オペレーションパネルによる操作の手間をなくすことができる。このように、コスト削減ができると共に、ユーザの使用における利便性を向上することができる。
【０１２４】
〔第１３の実施形態〕
次に、本発明の第１３の実施形態について説明する。
この第１３の実施形態は、上述した第７の実施形態について、読み取りデータを読み取り枚数と１８０°回転の有無の情報と共に蓄積するデータ蓄積手段をさらに備え、蓄積した読み取りデータを、読み取り枚数と１８０°回転の有無の情報に基づいて並び替える制御をさらに行うようにしたものである。
【０１２５】
図２６と図２７は、第１３の実施形態について説明する図である。
図２６は、本実施形態によるブック読みモードのため、片側ページ連続読み取りモードの選択／解除を行うための割り当てキーがさらに設けられた例を示す図である。
【０１２６】
次に、第１３の実施形態による動作について、図２７のフローチャートを参照して説明する。
ステップＳ１３−１で、ユーザが読み取りガラス上に原稿をセットし、ブック読みモードと片側ページ連続読み取りモードを選択する。
ステップＳ１３−２で、システムは原稿サイズセンサの検知結果、またはユーザがオペレーションパネルから設定した結果に基づき、原稿サイズを決定する。
【０１２７】
ステップＳ１３−３で、ユーザがオペレーションパネル上のキーなどにより左側ページ／右側ページを選択、または選択しない。
ステップＳ１３−４で、ユーザがオペレーションパネル上のスタートキーにより読み取り開始を指示する。
【０１２８】
ステップＳ１３−５で、システムはブック読み用の基準位置から換算した原稿サイズ領域を読み取る。
ステップＳ１３−６で、システムは左側ページが選択されている場合はステップＳ１３−７へ、右側ページが選択されている場合はステップＳ１３−８へ進む。
【０１２９】
ステップＳ１３−７で、システムは読み取りデータを１８０°回転して蓄積し、左ページｎ枚目であるというページ情報をメモリに蓄積する。メモリに蓄積されるｎ枚目の値は、左ページ読み取りごとに１ずつ増加される。
【０１３０】
ステップＳ１３−８で、システムは読み取りデータを蓄積し、右ページｍ枚目であるというページ情報をメモリに蓄積する。メモリに蓄積されるｍ枚目の値は、右ページ読み取りごとに１ずつ増加される。
【０１３１】
ステップＳ１３−９で、システムはユーザがブック読みモードまたは片側ページ連続読み取りモードを解除しているか確認し、解除している場合はステップＳ１３−１０へ、解除していない場合はステップＳ１３−２へ進む。
ステップＳ１３−１０で、システムはメモリからロードしたページ情報に基づいて蓄積した読み取りデータを並び替え、右側ページのｍ枚目と左側ページのｎ枚目が連続する（右ページと左ページが交互になる）ようにソートを行う。
【０１３２】
ステップＳ１３−３で、ユーザが一度も左側ページ／右側ページを選択していない場合はデフォルト設定（例えば右ページ）が適用される。またユーザはブック読みモードまたは片側ページ連続読み取りモードを任意のタイミングで解除することができ、この場合システムは読み取り動作中などを除きすぐにステップＳ１３−１０へ遷移する。
【０１３３】
以上のように、上述した第１３の実施形態によれば、ユーザが本原稿を順に読み取る場合に、右ページを連続して読み取った後、左ページを連続して読み取るといった、左右の何れか一方のページだけを連続して読み取った後で他方のページだけを連続して読み取ることが可能になり、１ページごとに原稿を上下反転させる手間を省くことができる。すなわち、右ページと左ページを読み取る場合では、ユーザから見た原稿の天地が逆になるため、右ページと左ページとを交互に読み取る場合、１ページごとに原稿を上下反転させる必要があるが、この手間を省くことができる。このため、ユーザの使用における利便性を向上することができる。
【０１３４】
〔第１４の実施形態〕
次に、本発明の第１４の実施形態について説明する。
この第１４の実施形態は、上述した第１の実施形態について、圧板の開閉を検知する手段をさらに備え、圧板の開閉を検知する手段による検知結果に基づいて、読み取りガラス上の基準位置と対向する読み取りガラスの端から読み取りを行う読み取り方法を無効にする制御をさらに行うようにしたものである。
【０１３５】
第１４の実施形態による動作について、図２８のフローチャートを参照して説明する。
ステップＳ１４−１で、ユーザが読み取りガラス上に原稿をセットし、ブック読みモードを選択する、または選択しない。
ステップＳ１４−２で、システムは原稿サイズセンサの検知結果、またはユーザがオペレーションパネルから設定した結果に基づき、原稿サイズを決定する。
【０１３６】
ステップＳ１４−３で、ユーザがオペレーションパネル上のスタートキーにより読み取り開始を指示する。
ステップＳ１４−４で、システムはブック読みモードが選択されているか確認し、選択されている場合はステップＳ１４−５へ、選択されていない場合はステップＳ１４−７へ進む。
【０１３７】
ステップＳ１４−５で、システムは圧板が開いているか確認し、開いている場合はステップＳ１４−６へ、開いていない場合はステップＳ１４−７へ進む。
ステップＳ１４−６で、システムはブック読み用の基準位置から換算した原稿サイズ領域を読み取る。
ステップＳ１４−７で、システムは通常の基準位置から換算した原稿サイズ領域を読み取る。
【０１３８】
ステップＳ１４−５で、圧板が開いているか確認する方法として圧板開閉センサを用いる方法などがある。
【０１３９】
以上のように、上述した第１４の実施形態によれば、本原稿の読み取りを行う場合は必ず圧板が開いている（閉じ部など厚みがあるため閉じられない）ため、圧板が閉じている場合にユーザが誤ってブック読みモードを選択した、あるいは解除を忘れた場合であっても、ユーザの意図しない領域を読み取ってしまうことを防ぐことができる。このため、ユーザの使用における利便性を向上することができる。
【０１４０】
〔第１５の実施形態〕
次に、本発明の第１５の実施形態について説明する。
この第１５の実施形態は、上述した第１の実施形態について、読み取りガラス上の基準位置と対向する読み取りガラスの端から読み取りを行う読み取り方法が選択された場合に、読み取りガラス上の指定した原稿領域を読み取って電子化する読み取り手段の走行体を通常と異なる基準位置に移動する制御方法と、読み取りガラス上の基準位置と対向する読み取りガラスの端から読み取りを行う読み取り方法が選択された場合に、読み取り動作の終了時に走行体を通常と異なる基準位置に移動する制御方法と、読み取りガラス上の基準位置から読み取りを行う読み取り方法が選択された場合に、走行体を通常の基準位置に移動する制御方法とを、さらに用いるようにしたものである。
【０１４１】
図２９と図３０は、第１５の実施形態について説明する図である。
図２９は、本実施形態によるブック読みモードでホームポジションを変更する動作例を説明する図である。
【０１４２】
次に、第１５の実施形態による動作について、図３０のフローチャートを参照して説明する。
ステップＳ１５−１で、ユーザが読み取りガラス上に原稿をセットし、ブック読みモードを選択する。
【０１４３】
ステップＳ１５−２で、システムは走行体を、図２９に示すホームポジションＡからホームポジションＢに移動する。
ステップＳ１５−３で、システムは原稿サイズセンサの検知結果、またはユーザがオペレーションパネルから設定した結果に基づき、原稿サイズを決定する。
【０１４４】
ステップＳ１５−４で、ユーザがオペレーションパネル上のスタートキーにより読み取り開始を指示する。
ステップＳ１５−５で、システムはブック読み用の基準位置から換算した原稿サイズ領域を読み取り、走行体をホームポジションＢに戻す。
【０１４５】
ステップＳ１５−６で、システムはブック読みモードが解除されているか確認し、解除されている場合はステップＳ１５−７へ、解除されていない場合はステップＳ１５−３へ進む。
ステップＳ１５−７で、システムは走行体をホームポジションＢからホームポジションＡに移動する。
【０１４６】
以上のように、上述した第１５の実施形態によれば、ブック読みモード中に走行体が原稿に近いホームポジションＢを基準として読み取りを行うため、原稿の読み取り動作に必要な時間を少なくすることができる。
【０１４７】
〔第１６の実施形態〕
次に、本発明の第１６の実施形態について説明する。
この第１６の実施形態は、上述した第１の実施形態について、圧板の開閉を検知する手段をさらに備え、読み取りガラス上の基準位置と対向する読み取りガラスの端から読み取りを行う読み取り方法が選択された場合に、読み取り枚数を記憶する制御方法と、圧板の開閉を検知する手段による検知結果と記憶した読み取り枚数に基づいて、読み取りガラス上の基準位置から読み取りを行う読み取り方法を選択する制御方法と、をさらに用いるようにしたものである。
【０１４８】
第１６の実施形態による動作について、図３１のフローチャートを参照して説明する。
ステップＳ１６−１で、ユーザが読み取りガラス上に原稿をセットし、ブック読みモードを選択する。
ステップＳ１６−２で、システムは原稿サイズセンサの検知結果、またはユーザがオペレーションパネルから設定した結果に基づき、原稿サイズを決定する。
【０１４９】
ステップＳ１６−３で、ユーザがオペレーションパネル上のスタートキーにより読み取り開始を指示する。
ステップＳ１６−４で、システムはブック読み用の基準位置から換算した原稿サイズ領域を読み取り、ブック読みモードでの読み取り枚数をメモリに蓄積する。
【０１５０】
ステップＳ１６−５で、ユーザが圧板を閉じる。
ステップＳ１６−６で、システムは圧板が閉じられたことを確認し、ブック読みモードでの読み取り枚数をメモリからロードし、読み取り枚数が１枚以上の場合はステップＳ１６−７へ、０枚の場合はステップＳ１６−８へ進む。
【０１５１】
ステップＳ１６−７で、システムはメモリ上のブック読みモードでの読み取り枚数をクリアし、ブック読みモードを解除して通常の読み取りモードに変更する。
ステップＳ１６−８で、システムはブック読みモードのままユーザの読み取り開始指示を待つ。
【０１５２】
以上のように、上述した第１６の実施形態によれば、圧板を閉じることで本原稿の読み取りが終了したと判断し自動的にブック読みモードを解除することで、ユーザがブック読みモードを解除することを忘れて、次原稿の読み取り時にユーザの意図しない領域を読み取ってしまうことを防ぐことができる。このため、ユーザの使用における利便性を向上することができる。
【０１５３】
なお、上述した各実施形態は本発明の好適な実施形態であり、本発明はこれに限定されることなく、本発明の技術的思想に基づいて種々変形して実施することが可能である。
【０１５４】
また、上述した実施形態に係る画像処理複合機は、画像読み取り機能を有する装置であれば、ＭＦＰ（Multi Function Printer）、コピー機等、各種のものであってよい。
【先行技術文献】
【特許文献】
【０１５５】
【特許文献１】特開平１１−６９０９６号公報
【特許文献２】特許第３６７０６９２号公報
【図１】
2012065188.tif 000006
【図２】
2012065188.tif 000007
【図３】
2012065188.tif 000008
【図４】
2012065188.tif 000009
【図５】
2012065188.tif 000010
【図６】
2012065188.tif 000011
【図７】
2012065188.tif 000012
【図８】
2012065188.tif 000013
【図９】
2012065188.tif 000014
【図１０】
2012065188.tif 000015
【図１１】
2012065188.tif 000016
【図１２】
2012065188.tif 000017
【図１３】
2012065188.tif 000018
【図１４】
2012065188.tif 000019
【図１５】
2012065188.tif 000020
【図１６】
2012065188.tif 000021
【図１７】
2012065188.tif 000022
【図１８】
2012065188.tif 000023
【図１９】
2012065188.tif 000024
【図２０】
2012065188.tif 000025
【図２１】
2012065188.tif 000026
【図２２】
2012065188.tif 000027
【図２３】
2012065188.tif 000028
【図２４】
2012065188.tif 000029
【図２５】
2012065188.tif 000030
【図２６】
2012065188.tif 000031
【図２７】
2012065188.tif 000032
【図２８】
2012065188.tif 000033
【図２９】
2012065188.tif 000034
【図３０】
2012065188.tif 000035
【図３１】
2012065188.tif 000036